(57)【要約】【課題】画像表示装置としても使用できるホワイトボードを提供する。【解決手段】このホワイトボードは、電子ペーパ１１１と、前面板１２５と、を備える。は、電子ペーパ１１１は、表示中の画像を、電力の供給が絶たれた後も表示し続ける。電子ペーパ１１１は、その表示領域全体を単一色且つ無模様の表示状態にすることが可能である。前面板１２５は、電子ペーパ１１１の表示面に重ねて設けられている。前面板１２５は、可視光を透過する。前面板１２５は、その前面に、インクを用いて何らかの情報を表示する（書く、描く）ことが可能である。前面板１２５は、その前面に付着しているインクをイレーザで拭き取る（表示された情報を消す）ことが可能である。【選択図】図４
2004255885.tif 000002
【特許請求の範囲】
【請求項１】
不揮発性表示デバイスと、前面板と、を備えたホワイトボード。
前記不揮発性表示デバイスは、表示中の画像を、電力の供給が絶たれた後も表示し続ける表示デバイスである。
前記不揮発性表示デバイスは、その表示領域全体を単一色且つ無模様の表示状態にすることが可能である。
前記前面板は、前記不揮発性表示デバイスの表示面に重ねて設けられている。
前記前面板は、可視光を透過する。
前記前面板は、その前面にインクを付着させることが可能である。
前記前面板は、その前面に付着した前記インクをイレーザで拭き取ることが可能である。
【請求項２】
不揮発性表示デバイスと、前面板と、を備えたホワイトボード。
前記不揮発性表示デバイスは、表示中の画像を、電力の供給が絶たれた後も表示し続ける表示デバイスである。
前記不揮発性表示デバイスは、その表示領域全体を単一色且つ無模様の表示状態にすることが可能である。
前記前面板は、前記不揮発性表示デバイスの表示面に重ねて設けられている。
前記前面板は、可視光を透過する。
前記前面板は、その前面にインクを付着させることが可能である。
前記前面板は、その前面に付着した前記インクをイレーザで拭き取ることが可能である。
前記前面板は、前方からの投射光を前記不揮発性表示デバイス側に透過させる。
前記前面板は、前記不揮発性デバイスからの反射光を前方に透過させる。
【請求項３】
請求項１または２記載のホワイトボードにおいて、更に、
不揮発性メモリと、入力装置と、表示制御装置と、を備えたホワイトボード。
前記不揮発性メモリは、複数種類の表画像データを記憶している。
前記入力装置は、前記複数種類の表画像データの中から任意の表画像データを選択するための入力装置である。
前記表示制御装置は、選択された表画像データを前記不揮発性表示デバイスに表示させる制御装置である。
【請求項４】
請求項１、２または３記載のホワイトボードにおいて、
前記不揮発性表示デバイスとして電子ペーパを用いたホワイトボード。
【請求項５】
不揮発性表示デバイスと、前面板と、を備えた投影スクリーン装置。
前記不揮発性表示デバイスは、表示中の画像を、電力の供給が絶たれた後も表示し続ける表示デバイスである。
前記不揮発性表示デバイスは、その表示領域全体を白く且つ無模様の表示状態にすることが可能である。
前記前面板は、前記不揮発性表示デバイスの表示面に重ねて設けられている。
前記前面板は、可視光を透過する。
前記前面板は、前方からの投射光を前記不揮発性表示デバイス側に透過させる。
前記前面板は、前記不揮発性デバイスからの反射光を前方に透過させる。
【請求項６】
請求項５記載の投影スクリーン装置において、
前記不揮発性表示デバイスとして電子ペーパを用いた投影スクリーン装置。
【発明の詳細な説明】
【技術分野】
【０００１】
本願発明は、画像表示装置としても使用できるホワイトボードに関する。
本願発明は、画像表示装置としても投影スクリーン装置としても使用できるホワイトボードに関する。
本願発明は、画像表示装置としても使用できる投影スクリーン装置に関する。
【背景技術】
【０００２】
［ホワイトボード］
ホワイトボードは、アルコール系インク、水性インク、油性インク、等を使用して、そのボード表面に自由に文字等を書いたり消したりできる。
ホワイトボードは、会議や講演等に於いて使用される。
ホワイトボードは、不使用時にもそのまま会議室の隅等に設置されていることが多い。
ホワイトボードは、その大部分が白い板面で構成されているため装飾性に欠け、それが設置されている部屋を殺風景にしてしまう。
ホワイトボードには、計画表、日程表、時間表、等の表画像（日時や予定内容等を記入するための記入欄を区画する罫線や、”年”、”月”、”時”といった所定の語句を含む画像）が予め印刷されているものもある。この種のホワイトボードは、表画像が容易に消えないように印刷されているため、表画像のレイアウトを必要に応じて変えたり、無地の状態で使用したりすることはできない。
【０００３】
［投影スクリーン］
投影スクリーンは、そのスクリーン表面に映像を投射することにより大画面の映像を表示することができる。
投影スクリーンは、会議や講演等に於いて使用される。
投影スクリーンは、不使用時には、それを巻き取って部屋の天井部やホワイトボードの上端部等に収納することができる。
投影スクリーンは、それがスクリーンとしてだけでなく別の何かの用途、たとえば画像表示や装飾の目的で常時使用できる装置であれば、会議等が終了する度に収納する必要はない。
現状の投影スクリーンの多くは、投影スクリーンとしての機能しか持っていない。
【０００４】
［ホワイトボードの機能と投影スクリーンの機能とを兼ね備えた装置］
ホワイトボードとしても使用できる投影スクリーンは、既に知られている。
投影スクリーンとして使用できるホワイトボードは、既に知られている。
（特許文献１、特許文献２、特許文献３）
この種の従来の装置は、構造的にはホワイトボードに近いものである。したがって不使用時にもそのまま会議室の隅等に設置されることが多く、そして装飾性に欠ける。
【０００５】
【特許文献１】特開平１１−１５０７８号公報
【特許文献２】特開平１１−２７７９８４号公報
【特許文献３】特開２０００−３５５１８９号公報
【発明の開示】
【発明が解決しようとする課題】
【０００６】
本発明が解決しようとする課題は、以下のとおりである。
第１の課題：画像表示装置としても使用できるホワイトボードを提供する。
第２の課題：画像表示装置としても投影スクリーン装置としても使用できるホワイトボードを提供する。
第３の課題：計画表、日程表、時間表、等の表画像を必要に応じて選択的に表示できるホワイトボードを提供する。
第４の課題：画像表示装置としても使用できる投影スクリーン装置を提供する。
【課題を解決するための手段】
【０００７】
上記課題を解決するために、本願発明では以下の手段を採用した。
ここで、ホワイトボードとは、水性インク（インキ）や油性インクなどを内部に貯えたフェルトペン（ホワイトボードマーカ）等を使用して、その筆記面に何らかの情報を書き込むことができ、且つその筆記面に書き込まれている情報を拭き取りにより消去可能な筆記板のことである。白い筆記面を有するボード（まさしくホワイトボード！）に限らず、緑、黒等その他の色の筆記面を持つボードも、ホワイトボードに含まれる。後で詳しく説明するが、本願発明のホワイトボードは、白、黒といった決まった色の筆記面は持っていない。筆記面の色は、ボード本体の内部に設けられた不揮発性表示デバイスの表示色によって決まる。したがって、その筆記面の色を、必要に応じて、白にしたり黒にしたりできる。マルチカラーあるいはフルカラー表示が可能な不揮発性表示デバイスを使用すれば、筆記面の色を赤や緑にすることだって可能である。しかも、その筆記面の色を何色かに設定してしまえば、次に色を変更するまでの間は、電力を消費しない。
【０００８】
ホワイトボードは筆記板であると書いたので、ホワイトボードは板状の装置に限られると思われるかもしれないが、ここでいうホワイトボードには、板状の装置それ自体に限らず、板状の装置すなわちボード本体を、支持体で床上に支持した装置や、部屋の天井から吊り下げて保持した装置なども含まれる。さらには、可撓性を有するシート状（厚さは関係ない。）の装置それ自体や、当該シート状の装置をロールスクリーンの様に巻き取り可能に吊り下げて保持した装置なども含まれる。
【０００９】
［ホワイトボード  １］
第１の課題を解決するために、本願発明のホワイトボードは、不揮発性表示デバイスと、前面板と、を備える。
前記不揮発性表示デバイスは、表示中の画像を、電力の供給が絶たれた後も表示し続ける。
前記不揮発性表示デバイスは、その表示領域全体を単一色且つ無模様の表示状態にすることが可能である。
前記前面板は、前記不揮発性表示デバイスの表示面に重ねて設けられている。
前記前面板は、可視光を透過する。
前記前面板は、その前面にインクを付着させることが可能である。
前記前面板は、その前面に、インクを用いて何らかの情報を表示する（書く、描く）ことが可能である。
前記前面板は、その前面に付着している前記インクをイレーザで拭き取る（表示された情報を消す）ことが可能である。
【００１０】
［ホワイトボード  １−３］
第１および第３の課題を解決するために、本願発明のホワイトボードは、不揮発性表示デバイスと、前面板と、不揮発性メモリと、入力装置と、表示制御装置と、を備える。
前記不揮発性表示デバイスは、表示中の画像を、電力の供給が絶たれた後も表示し続ける。
前記不揮発性表示デバイスは、その表示領域全体を単一色且つ無模様の表示状態にすることが可能である。
前記前面板は、前記不揮発性表示デバイスの表示面に重ねて設けられている。
前記前面板は、可視光を透過する。
前記前面板は、その前面にインクを付着させることが可能である。
前記前面板は、その前面に、インクを用いて何らかの情報を表示する（書く、描く）ことが可能である。
前記前面板は、その前面に付着している前記インクをイレーザで拭き取る（表示された情報を消す）ことが可能である。
前記不揮発性メモリは、複数種類の表画像データを記憶している。
前記入力装置は、前記複数種類の表画像データの中から任意の表画像データを選択するための入力装置である。
前記表示制御装置は、選択された表画像データを前記不揮発性表示デバイスに表示させる制御装置である。
【００１１】
［ホワイトボード  １−４］
第１の課題を解決するために、本願発明のホワイトボードは、不揮発性表示デバイスと、前面板と、を備える。
前記不揮発性表示デバイスは、表示中の画像を、電力の供給が絶たれた後も表示し続ける。
前記不揮発性表示デバイスは、その表示領域全体を単一色且つ無模様の表示状態にすることが可能である。
前記不揮発性表示デバイスは、電子ペーパである。
前記前面板は、前記不揮発性表示デバイスの表示面に重ねて設けられている。
前記前面板は、可視光を透過する。
前記前面板は、その前面にインクを付着させることが可能である。
前記前面板は、その前面に、インクを用いて何らかの情報を表示する（書く、描く）ことが可能である。
前記前面板は、その前面に付着している前記インクをイレーザで拭き取る（表示された情報を消す）ことが可能である。
【００１２】
［ホワイトボード  １−３−４］
第１および第３の課題を解決するために、本願発明のホワイトボードは、不揮発性表示デバイスと、前面板と、不揮発性メモリと、入力装置と、表示制御装置と、を備える。
前記不揮発性表示デバイスは、表示中の画像を、電力の供給が絶たれた後も表示し続ける。
前記不揮発性表示デバイスは、その表示領域全体を単一色且つ無模様の表示状態にすることが可能である。
前記不揮発性表示デバイスは、電子ペーパである。
前記前面板は、前記不揮発性表示デバイスの表示面に重ねて設けられている。
前記前面板は、可視光を透過する。
前記前面板は、その前面にインクを付着させることが可能である。
前記前面板は、その前面に、インクを用いて何らかの情報を表示する（書く、描く）ことが可能である。
前記前面板は、その前面に付着している前記インクをイレーザで拭き取る（表示された情報を消す）ことが可能である。
前記不揮発性メモリは、複数の表画像データを記憶している。
前記入力装置は、前記複数の表画像データの中から任意の表画像データを選択するための入力装置である。
前記表示制御装置は、選択された表画像データを前記不揮発性表示デバイスに表示させる制御装置である。
【００１３】
［ホワイトボード  ２］
第２の課題を解決するために、本願発明のホワイトボードは、不揮発性表示デバイスと、前面板と、を備える。
前記不揮発性表示デバイスは、表示中の画像を、電力の供給が絶たれた後も表示し続ける。
前記不揮発性表示デバイスは、その表示領域全体をその表示領域全体を単一色且つ無模様の表示状態にすることが可能である。
前記前面板は、前記不揮発性表示デバイスの表示面に重ねて設けられている。
前記前面板は、可視光を透過する。
前記前面板は、その前面にインクを付着させることが可能である。
前記前面板は、その前面に、インクを用いて何らかの情報を表示する（書く、描く）ことが可能である。
前記前面板は、その前面に付着している前記インクをイレーザで拭き取る（表示された情報を消す）ことが可能である。
前記前面板は、前方からの投射光を前記不揮発性表示デバイス側に透過させる。
前記前面板は、前記不揮発性デバイスからの反射光を前方に透過させる。
【００１４】
［ホワイトボード  ２−３］
第２および第３の課題を解決するために、本願発明のホワイトボードは、不揮発性表示デバイスと、前面板と、不揮発性メモリと、入力装置と、表示制御装置と、を備える。
前記不揮発性表示デバイスは、表示中の画像を、電力の供給が絶たれた後も表示し続ける。
前記不揮発性表示デバイスは、その表示領域全体を単一色且つ無模様の表示状態にすることが可能である。
前記前面板は、前記不揮発性表示デバイスの表示面に重ねて設けられている。
前記前面板は、可視光を透過する。
前記前面板は、その前面にインクを付着させることが可能である。
前記前面板は、その前面に、インクを用いて何らかの情報を表示する（書く、描く）ことが可能である。
前記前面板は、その前面に付着している前記インクをイレーザで拭き取る（表示された情報を消す）ことが可能である。
前記前面板は、前方からの投射光を前記不揮発性表示デバイス側に透過させる。
前記前面板は、前記不揮発性デバイスからの反射光を前方に透過させる。
前記不揮発性メモリは、複数の表画像データを記憶している。
前記入力装置は、前記複数の表画像データの中から任意の表画像データを選択するための入力装置である。
前記表示制御装置は、選択された表画像データを前記不揮発性表示デバイスに表示させる制御装置である。
【００１５】
［ホワイトボード  ２−４］
第２および第３の課題を解決するために、本願発明のホワイトボードは、不揮発性表示デバイスと、前面板と、を備える。
前記不揮発性表示デバイスは、表示中の画像を、電力の供給が絶たれた後も表示し続ける。
前記不揮発性表示デバイスは、その表示領域全体を単一色且つ無模様の表示状態にすることが可能である。
前記不揮発性表示デバイスは、電子ペーパである。
前記前面板は、前記不揮発性表示デバイスの表示面に重ねて設けられている。
前記前面板は、可視光を透過する。
前記前面板は、その前面にインクを付着させることが可能である。
前記前面板は、その前面に、インクを用いて何らかの情報を表示する（書く、描く）ことが可能である。
前記前面板は、その前面に付着している前記インクをイレーザで拭き取る（表示された情報を消す）ことが可能である。
前記前面板は、前方からの投射光を前記不揮発性表示デバイス側に透過させる。
前記前面板は、前記不揮発性デバイスからの反射光を前方に透過させる。
【００１６】
［ホワイトボード  ２−３−４］
第２および第３の課題を解決するために、本願発明のホワイトボードは、不揮発性表示デバイスと、前面板と、不揮発性メモリと、入力装置と、表示制御装置と、を備える。
前記不揮発性表示デバイスは、表示中の画像を、電力の供給が絶たれた後も表示し続ける。
前記不揮発性表示デバイスは、その表示領域全体を単一色且つ無模様の表示状態にすることが可能である。
前記不揮発性表示デバイスは、電子ペーパである。
前記前面板は、前記不揮発性表示デバイスの表示面に重ねて設けられている。
前記前面板は、可視光を透過する。
前記前面板は、その前面にインクを付着させることが可能である。
前記前面板は、その前面に、インクを用いて何らかの情報を表示する（書く、描く）ことが可能である。
前記前面板は、その前面に付着している前記インクをイレーザで拭き取る（表示された情報を消す）ことが可能である。
前記前面板は、前方からの投射光を前記不揮発性表示デバイス側に透過させる。
前記前面板は、前記不揮発性デバイスからの反射光を前方に透過させる。
前記不揮発性メモリは、複数の表画像データを記憶している。
前記入力装置は、前記複数の表画像データの中から任意の表画像データを選択するための入力装置である。
前記表示制御装置は、選択された表画像データを前記不揮発性表示デバイスに表示させる制御装置である。
【００１７】
［投影スクリーン装置  ５］
第４の課題を解決するために、本願発明の投影スクリーン装置は、不揮発性表示デバイスと、前面板と、を備える。
前記不揮発性表示デバイスは、表示中の画像を、電力の供給が絶たれた後も表示し続ける。
前記不揮発性表示デバイスは、その表示領域全体を白く（若干色づいた、白に近い色を含む。たとえば、薄い黄色や水色、緑色、等。以下同様。）且つ無模様の表示状態にすることが可能である。
前記前面板は、可視光を透過する。
前記前面板は、前記不揮発性表示デバイスの表示面に重ねて設けられている。
前記前面板は、前方からの投射光を前記不揮発性表示デバイス側に透過させる。
前記前面板は、前記不揮発性デバイスからの反射光を前方に透過させる。
【００１８】
［投影スクリーン装置  ５−６］
第４の課題を解決するために、本願発明の投影スクリーン装置は、不揮発性表示デバイスと、前面板と、を備える。
前記不揮発性表示デバイスは、表示中の画像を、電力の供給が絶たれた後も表示し続ける。
前記不揮発性表示デバイスは、その表示領域全体を白く且つ無模様の表示状態にすることが可能である。
前記不揮発性表示デバイスは、電子ペーパである。
前記前面板は、可視光を透過する。
前記前面板は、前記不揮発性表示デバイスの表示面に重ねて設けられている。
前記前面板は、前方からの投射光を前記不揮発性表示デバイス側に透過させる。
前記前面板は、前記不揮発性デバイスからの反射光を前方に透過させる。
【発明の効果】
【００１９】
本願発明のホワイトボードは、画像表示装置としても使用できる。
本発明のホワイトボードは、画像表示装置としても投影スクリーン装置としても使用できる。
本発明のホワイトボードは、計画表、日程表、時間表、等の表画像を必要に応じて選択的に表示できる。
本発明の投影スクリーン装置は、画像表示装置としても使用できる。
【発明を実施するための最良の形態】
【００２０】
以下、本願発明を実施するための最良の形態について説明する。
【００２１】
１．  ホワイトボード
【００２２】
１．１  ホワイトボードの構成
【００２３】
図１は、本願発明に係るホワイトボードの一形態例を示す正面図である。
図２は、図１に示されるホワイトボードの側面図である。
【００２４】
図１に示されるホワイトボード１００は、ボード本体１１０と、コントロールユニット１３０と、これらを支持する支持体１５０と、を備えている。
【００２５】
支持体１５０は、左右一対の支柱１５１Ｒ、１５１Ｌと、各支柱１５１Ｒ、１５１Ｌの下端部に前後に張り出して設けられた支持脚１５２Ｒ、１５２Ｌと、各支持脚１５２Ｒ、１５２Ｌの下面側の前部と後部に設けられた合計４つのキャスタ１５３と、両支柱１５１Ｒ、１５１Ｌ間に掛け渡された連結桟１５４と、を有する。
【００２６】
ボード本体１１０は、両支柱１５１間に支持されている。コントロールユニット１３０は、連結桟１５４の右側下部に取り付けられている。連結桟１５４は、そのボード本体１１０の直下位置に設けられている。連結桟１５４の上部手前側には、粉受け（トレイ）１５５が取り付けられている。粉受け１５５は、ホワイトボードマーカ１６０、イレーザ１７０、マグネット（マグネットクリップ、マグネットシート、などを含む）１８０、等の置き場所として使用される。
【００２７】
図３は、ボード本体の縦断面図である。
図４は、ボード本体の要部を示す分解斜視図である。
【００２８】
図３および図４に示すように、ボード本体１１０は、電子ペーパ（不揮発性表示デバイス）１１１と、前面板１２５と、背面板１２６と、を備えている。
【００２９】
電子ペーパ１１１は、薄くてフレキシブルな、紙の様な表示デバイスである。電子ペーパ１１１は、電力供給時に表示した画像を、電力の供給が絶たれた後も表示し続けることができる。
電子ペーパ１１１にはいくつかの種類がある。そのうちの主なものとして、電気泳動方式の電子ペーパ、ツイストボール（ｔｗｉｓｔｅｄ  ｂａｌｌ）方式の電子ペーパ、強誘電性液晶を用いた方式の電子ペーパ、等を挙げることができる。（特開2002-169190、特開2002-163257、特開2002-099221、特開2002-091749、特開2002-024865、特開2002-024570、特開2002-018362、特開2001-312250、特開2001-312227、特開2001-311931、特開2001-270145、特開2001-209760、特開2001-167285、特開2001-167180、特開2001-092387特開2000-187253、特開2000-127478、特開平11-327470、等参照  ）。
【００３０】
電子ペーパ１１１は、その表示領域１１１ａ全体を、白く且つ無模様の表示状態にすることが可能である。電子ペーパ１１１は、大面積の１枚の電子ペーパであっても、小面積の複数枚の電子ペーパを継ぎ合わせて構成した電子ペーパであってもよい。電子ペーパ１１１は、白黒表示のみ可能な電子ペーパでも、マルチカラーまたはフルカラー表示が可能な電子ペーパでもよい。この形態例では、フルカラー表示が可能な電子ペーパを用いた場合について説明する。
【００３１】
前面板１２５は、電子ペーパ１１１の表示面（前面）に重ねて設けられている。電子ペーパ１１１の表示面（前面）は、その全体が前面板１２５で覆われている。
【００３２】
前面板１２５は、電子ペーパ１１１を保護している。前面板１２５は、可視光を透過する。前面板１２５は、前面板本体１２５Ａと保護フィルム１２５Ｂとからなる。  前面板本体１２５Ａは、ホワイトボードマーカ１６０の先で押圧された時に、容易に変形（陥没）しない程度の堅さを有している。前面板本体１２５Ａには、アクリル等の合成樹脂板、またはガラス板が用いられる。  保護フィルム１２５Ｂは、前面板１２５の前面に貼り付けられている。保護フィルム１２５Ｂは、薄厚の合成樹脂製フィルムである。保護フィルム１２５Ｂは、貼り替えが可能である。保護フィルム１２５Ｂは、前面板１２５の前面に、蒸着、塗膜等の方法を用いて形成される場合もある。
【００３３】
前面板１２５は、その前面に、ホワイトボードマーカ１６０を筆記具に使用して、文字、絵、図、線、表などを、手書きで記入することが可能である。ホワイトボードマーカ１６０のペン先は、一般に、フェルトでできている。ホワイトボードマーカ１６０は、その先端からインクを少しずつ漏出（滲出）させて、前面板１２５に付着させる。使用されるインクは、アルコール系インク、水性インク、油性インク等である。前面板１２５は、その前面に付着しているインクをイレーザ１７０などで拭き取ることが可能である。ホワイトボードマーカ１６０およびイレーザ１７０は、ごく普通の事務用品店で入手できる、市販の製品である。
【００３４】
前面板１２５は、前方からの投射光を電子ペーパ１１１側に透過させる。  前面板１２５は、電子ペーパ１１１からの反射光を前方に透過させる。  投射光は、プロジェクタから投影される光である。プロジェクタは、各種発表会や提案会等においてよく見かける、映像投影装置である。
【００３５】
背面板１２６は、電子ペーパ１１１の背面に重ねて設けられている。電子ペーパ１１１の背面は、その全体が背面板１２６で覆われている。
【００３６】
背面板１２６は、可視光を透過しない。背面板１２６は、スチール板の表面（ボード本体１１０の背面）全体に白い筆記層（披筆記材層）１２６ａを形成してなる。背面板１２６は、その筆記層１２６ａの表面に、ホワイトボードマーカ１６０を筆記具に使用して、文字、絵、図、線、表などを、手書きで記入することが可能である。背面板１２６の筆記層１２６ａの表面に、予め、グリッド線や表を印刷しておいてもよい。背面板１２６の筆記層１２６ａは、硬質である。背面板１２６の筆記層１２６ａは、滑らかな表面を有している。この背面板１２６は、従来のホワイトボードのボード本体あるいは前面板に相当する。
【００３７】
ボード本体１１０は、電子ペーパ１１１と前面板１２５と背面板１２６とからなる積層体１２７と、制御回路１２８と、フレーム１２９とで構成される。
【００３８】
制御回路１２８は、電子ペーパ１１１を駆動するための回路である。制御回路１２８は、コントロールユニット１３０からの制御信号に応じて電子ペーパ１１１を駆動する。制御回路１２８は、外部インタフェース（Ｉ／Ｆ）部１２８ａを有している。外部Ｉ／Ｆ部１２８ａは、制御回路１２８がコントロールユニット１３０と通信するためのインタフェースである。外部Ｉ／Ｆ部１２８ａは、更に、コントロールユニット１３０から電力の供給を受けるための電力入力部としても機能する。
制御回路１２８は、ボード本体１１０の一方の端部に設けられている。制御回路１２８が存在しない部分には、スペーサ１６１が設けられている。スペーサ１６１は、合成樹脂製の薄い板である。
【００３９】
フレーム１２９は、積層体１２７の周縁部全周を取り囲んでいる。フレーム１２９は、アルミニウム等の軽い金属や、硬質の合成樹脂で形成される。
【００４０】
フレーム１２８の左右両側の中心部には、それぞれ回転支軸１２９Ｒ、１２９Ｌが左右に張り出して設けられている。一方の回転支軸１２９Ｒは一方の支柱１５１Ｒに軸支されている。他方の回転支軸１２９Ｌは他方の支柱１５１Ｌに軸支されている。
【００４１】
ボード本体１１０は、回転支軸１２９Ｒ、１２９Ｌを中心にして前後に回転可能である。ボード本体１１０を回転させれば、前面板１２５と背面板１２６の前後の位置関係を逆にすることも可能である。一方の支柱１５１Ｒには、回転止めハンドル１５６が設けられている。回転止めハンドル１５６は、ボード本体１１０を所望の回転姿勢に保持するための部材である。回転止めハンドル１５６を一方の回転方向に回すと、支柱１５１Ｒと回転支軸１２９Ｒ、１２９Ｌとが互いに固定される。回転止めハンドル１５６を他方の回転方向に回すと、支柱１５１Ｒと回転支軸１２９Ｒ、１２９Ｌとの固定が解かれる。
【００４２】
コントロールユニット１３０は、その前面部に操作パネル１３１を有している。  操作パネル１３１には、電源ボタン１３２、モード選択ボタン１３３、画像選択ボタン１３４、入力切替ボタン１３５、消去ボタン１３６、方向ボタン１７５（１７５Ｕ、１７５Ｄ、１７５Ｌ、１７５Ｒ）、決定ボタン１７６、テキストボタン１７９など、各種操作子が設けられている。ここで、「ボタン」は、適宜、「スイッチ」あるいは「キー」と読み替えてもよい。操作パネル１３１には、更に、メディアスロット１３８が設けられている。操作パネル１３１には、更に、遠隔操作用の赤外線受光部１９１が設けられている。
【００４３】
コントロールユニット１３０の側面部には、二つ（二種類）の通信Ｉ／Ｆ１４０、１４１が設けられている（図２参照）。一方の通信Ｉ／Ｆ１４０は、コントロールユニット１３０がボード本体１１０との間で通信を行うためのインタフェースである。他方の通信Ｉ／Ｆ１４１は、コントロールユニット１３０が外部装置（ＰＣ、等）との間で通信を行うためのインタフェースである。
【００４４】
コントロールユニット１３０の一方の通信Ｉ／Ｆ１４０とボード本体１１０の通信Ｉ／Ｆ部１２８ａ（図４参照）は、ケーブル１４２によって相互に接続されている（図１参照）。ケーブル１４２は、支柱１５１Ｒおよび回転支軸１２９Ｒ内を通過させて設けられている。コントロールユニット１３０の他方の通信Ｉ／Ｆ１４１と外部装置は、必要に応じて、ケーブルまたは無線によって相互に接続される。
【００４５】
コントロールユニット１３０の背面部には、電力ケーブル１３９が接続されている（図３参照）。電力ケーブル１３９は、コントロールユニット１３０の電源部１７４を、図示しない商用電源と接続するための絶縁材被覆導体ケーブルである。コントロールユニット１３０の電源部１７４には、商用電源から電力ケーブル１３９を通して定格電圧の交流電力が供給される。電源部１７４は、入力された交流電力を所定電圧の直流電力に変換し、コントロールユニット１３０内の各部に供給する。電源部１７４から出力された電力の一部は、ケーブル１４２を利用してボード本体１１０内の制御回路１２８にも供給される。ケーブル１４２内には、信号線と電力線とが設けられている。
【００４６】
図５は、コントロールユニット１３０の構成例を示す機能ブロック図である。  コントロールユニット１３０は、操作パネル１３１、通信Ｉ／Ｆ１４０、通信Ｉ／Ｆ１４１、制御部１７１、不揮発性メモリ１７２、メディア駆動部１７３、電源部１７４、赤外線受光部１９１、等を有している。
【００４７】
制御部１７１は、ＣＰＵ１７１ａ、ＲＯＭ１７１ｂ、そしてＲＡＭ１７１ｃを備えている。ＣＰＵ１７１ａは、所定のプログラムに従って、全ての制御対象を統括制御する。制御に必要なプログラム（制御用のデータを含む。）は、ＲＯＭ１７１ｂに格納されている。ＣＰＵ１７１ａの制御対象は、ボード本体１１０とコントロールユニット１３０とからなる系に存在する。制御対象として、更に、何らかの外部装置が含まれる場合もある。ＲＡＭ１７１ｃは、ＣＰＵ１７１ａがプログラムを実行する際、作業スペースとして使用される。
【００４８】
不揮発性メモリ１７２は、複数種類の表画像データを記憶している。表画像データは、表画像を表示するためのデータである。表画像の種類として、たとえば、計画表、日程表、時間表、等を挙げることができる。以下、この不揮発性メモリ１７２を、内部画像メモリ１７２と記す場合もある。  内部画像メモリ１７２に記憶されている表画像データは、画像データその物（文字通りの画像データ）でも、特定の画像データとリンクしたデータ（特定の画像データの所在を示すデータ）であってもよい。すなわち、表画像データの他に、実際に表示される画像データが、地球上のどこか別の場所に存在してもよい。実際に表示される画像データの存在する場所の例として、コントロールユニット１３０に接続されたコンピュータ、インターネット上のコンピュータ、等を挙げることができる。また、コントロールユニット１３０内に、内部画像メモリ１７２とは別の、実際の画像データ専用の内部メモリを設けてもよい。
【００４９】
モード選択ボタン１３３、画像選択ボタン１３４、入力切替ボタン１３５、消去ボタン１３６、方向ボタン１７５、決定ボタン１７６、およびテキストボタン１７９は、入力装置部１７７を構成する。
【００５０】
モード選択ボタン１３３は、ボード本体１１０のモード（動作モード）を選択するための操作子である。モード選択ボタン１３３を押圧すると、その度に、ボード本体１１０のモードが切り替わる。つまり、モード選択ボタン１３３は、トグルスイッチになっている。選択可能なモードは三つある。第１のモードは、ホワイトボードモードである。第２のモードは、ディスプレイモードである。第３のモードは、プロジェクションモードである。
モード選択ボタン１３３の直上には、発光色の異なる三つのＬＥＤ１３３ａ、１３３ｂ、１３３ｃが設けられている。選択されたモードに応じて、これらのうちのいずれかが点灯する。
【００５１】
画像選択ボタン１３４は、電子ペーパ１１１に表示させる画像を選択するための操作子である。このボタン１３４は、主に、ホワイトボードモードおよびディスプレイモードにおいて使用される。選択対象画像は、内部画像メモリ１７２に記憶されている表画像データに基づく表画像、あるいはメディア駆動部１７３に装着されている記録メディア２００に記録されている画像データに基づく画像、等である。記録メディア２００の例として、メモリースティック、ＳＤカードなどを挙げることができる。
【００５２】
入力切替ボタン１３５は、画像情報の供給源を切り替えるための操作子である。画像情報の供給源は、３種類ある。第１の供給源は、内部画像メモリ１７２である。第２の供給源は、メディア駆動部１７３に装着されている記録メディア２００である。第３の供給源は、通信Ｉ／Ｆ１４１に接続されている外部装置３００である。外部装置３００の例として、通信Ｉ／Ｆ１４１に近距離通信媒体（接続ケーブル、無線（無線ＬＡＮ、赤外線）、等）を用いて接続されたコンピュータ、イメージスキャナ、Ｗｅｂブラウザ機能を持った携帯電話機、デジタルカメラ機能を備えた携帯電話機、そしてデジタルカメラを挙げることができる。外部装置３００の例として、更に、テレビ放送などを受信する放送画像受信装置や、インターネットを介して接続されたコンピュータ、等を挙げることができる。外部装置３００の例として、更に、ビデオテープ再生装置、ＤＶＤ再生装置、ハードディスクレコーダ、ホログラムチップ再生装置、ビデオゲーム機、等を挙げることができる。
【００５３】
消去ボタン１３６は、電子ペーパ１１１に表示されている画像を消去するための操作子である。消去の形態は様々である。その例として、全消去と部分消去を挙げることができる。  全消去は、電子ペーパ１１１を初期状態に戻すことに相当する。電子ペーパ１１１は、初期状態においては、その表示領域全体が白く且つ無模様の表示状態になっている。つまり、全消去は、電子ペーパ１１１の表示領域全体を、白く且つ無模様の表示状態にすることである。
【００５４】
部分消去は、電子ペーパ１１１の表示領域内の一部分の画像を消去することである。部分消去により消去される一部分の画像の例として、電子ペーパ１１１の表示領域内に他の画像が見えるように開けられた窓を挙げることができる。窓は、電子ペーパ１１１の表示領域内に幾つも作ることができ、重ねたり、または並べたりして表示することができる。部分消去により消去される一部分の画像の例として、更に、表画像を挙げることができる。
【００５５】
方向ボタン１７５は、アップ（上）ボタン１７５Ｕ、ダウン（下）ボタン１７５Ｄ、左ボタン１７５Ｌ、そして右ボタン１７５Ｒから成る。方向ボタン１７５は、電子ペーパ１１１の表示領域内に複数の窓や表が表示されている時（複数窓表示時、メニュー画面表示時、サムネイル画像表示時、等）に、アクティブ領域（選択中の画像や表）１７８の位置を移動させるために使用される（図７〜図１５、図１７〜図２５、参照）。また、カーソルやポインタ１８３が表示されている時に、これらを所望の方向に移動させるためにも使用される（図１９、図２２、図２４、図２６、図２７、参照）。
【００５６】
決定ボタン１７６は、ホワイトボード１００に対して各種決定指示を与えるための操作子である。たとえば、サムネイル画像によって複数の画像が表示されており、その内の一つの画像がアクティブ領域になっている時に（図２１参照）、決定ボタン１７６を押圧すると、その画像が表示対象画像に決定され、通常サイズで表示される（図２１参照）。表メニューから所望の表を選択的に表示する場合も同様である（図１８参照）。
【００５７】
テキストボタン１７９は、テキストボックス１８１（図１９参照）を呼び出すための操作子である。テキストボックス１８１は、テキスト記入領域である。テキストボックス１８１は、表示中の表の欄中に呼び出される。テキストボックス１８１の近傍には、テキストメニューが表示される。図２８は、テキストメニューの表示例を示している。テキストボックス１８１へのテキストの記入は、テキストメニュー１８２の中から、適当な文字（漢字、ひらがな、カタカナ、英数字、等）や単語（「スケジュール」、「計画」、「氏名」、「担当」、「行き先」、「曜日」、「日程」、「時刻」、等）を選ぶことによって達成される。
【００５８】
このホワイトボード１００は、外部のコンピュータを使用して操作することも可能である。すなわち、このホワイトボード１００を操作するためのアプリケーションプログラムがインストールされているコンピュータを、コントロールユニット１３０に接続することにより、そのコンピュータの入力装置（キーボード、マウス、等）を使用してホワイトボード１００を操作することができる。そのコンピュータの表示装置には、電子ペーパ１１１に表示中の画面が表示される、そして、一般的なＯＳ（トロン、リナックス、ウインドウズ、等）のＧＵＩ機能を利用してホワイトボード１００を操作することができる。
【００５９】
テキストボックス１８１へのテキストの記入は、外部のコンピュータを使用して行うことが可能である。外部のコンピュータによれば、一般的なワードプロセッサを使用する場合と同様の入力操作（キーボード操作、マウス操作、等）によって、テキストボックス１８１内にテキストを簡単に記入することができる。
【００６０】
１．２  ホワイトボードの動作
【００６１】
１．２．１  ホワイトボードモード
【００６２】
モード選択ボタン１３３でホワイトボードモードを選択すると、電子ペーパ１１１の表示領域に表示形態選択画面が表示される。図７は、表示形態選択画面の表示例を示している。表示形態選択画面２２０には、幾つかの選択ボタンが表示される。それらの内の一つは、通常ボタン２２１ａである。別の一つは、色ボタン２２１ｂである。更に別の一つは、罫線ボタン２２１ｃである。表示形態選択画面２２０は、電子ペーパ１１１の表示領域の一部分に窓として表示される。
【００６３】
１．２．１．１  通常表示
【００６４】
通常ボタン２２１ａを選択した状態（図７参照。通常ボタン２２１ａが強調表示されている。）で、決定ボタン１７６を押圧すると表示形態選択画面２２０は消去される。そして、電子ペーパ１１１の表示領域全体が白色で且つ無模様の表示状態になる。その結果、ボード本体１１０の前面（前面板１２５の表面）が、白色で且つ無模様の筆記面になる。
【００６５】
１．２．１．２  色の選択
【００６６】
色ボタン２２１ｂを選択した状態（図８参照。色ボタン２２１ｂが強調表示されている。）で、決定ボタン１７６を押圧すると色選択画面２２６が表示される。図９は、色選択画面の表示例を示している。色選択画面２２６には、背景色ボタン２２６ａと、罫線色ボタン２２６ｂと、文字色ボタン２２６ｃと、が表示される。
【００６７】
１．２．１．２．１  背景の色
【００６８】
背景色ボタン２２６ａは、背景色（筆記面の地色）を選択するためのメニュー画面（背景色選択画面）に進むためのボタンである。背景色ボタン２２６ａが選択されている状態（図９参照。背景色ボタン２２６ａが強調表示されている。）で、決定ボタン１７６が押圧されると背景色選択画面２２７が表示される。図１０は、背景色選択画面２２７の表示例を示している。背景色選択画面２２７上で所望の色のボタンを選び、決定ボタン１７６を押圧すると、背景色選択画面２２７が消去されるとともに、背景色がそのボタンの色に変更される。図１１は、背景色として黒を選択した後の状態を例示している。
【００６９】
１．２．１．２．２  罫線の色
【００７０】
罫線色ボタン２２６ｂは、罫線（計画表、日程表、時間表、グラフ軸、等の罫線）の色を選択するためのメニュー画面（罫線色選択画面）に進むためのボタンである。罫線色ボタン２２６ｂが選択されている状態（図１２参照。罫線色ボタン２２６ｂが強調表示されている。）で、決定ボタン１７６が押圧されると罫線色選択画面２２８が表示される。図１３は、罫線色選択画面２２８の表示例を示している。罫線色選択画面２２８上で所望の色のボタンを選び、決定ボタン１７６を押圧すると、罫線色選択画面２２８が消去されるとともに、罫線色がそのボタンの色に変更される。この例では、この時点で未だ表が表示されていないため、その後に表を表示した場合における罫線の色が決定されるだけである。
【００７１】
１．２．１．２．３  文字の色
【００７２】
文字色ボタン２２６ｃは、テキストボックス１８１内に記入する文字の色を選択するためのメニュー画面（文字色選択画面）に進むためのボタンである。テキストボックス１８１は、表示中の表の欄中に必要に応じて呼び出される。文字色ボタン２２６ｃが選択されている状態（図１４参照。文字色ボタン２２６ｃが強調表示されている。）で、決定ボタン１７６が押圧されると文字色選択画面２２９が表示される。図１５は、文字色選択画面２２９の表示例を示している。文字色選択画面２２９上で所望の色のボタンを選び、決定ボタン１７６を押圧すると、文字色選択画面２２９が消去されるとともに、文字色がそのボタンの色に変更される。この例では、この時点で未だ表及び文字が表示されていないため、その後に表及び文字を表示した場合における文字の色が決定されるだけである。黒や深緑など暗い色が背景色に選定されている場合、特に指定しなければ文字色は自動的に白に設定される（図１６参照）。
【００７３】
１．２．１．３  罫線の選択
【００７４】
罫線ボタン２２１ｃを選択した状態（図１７参照。罫線ボタン２２１ｃが強調表示されている。）で、決定ボタン１７６を押圧すると罫線選択画面２３０が表示される。図１８は、罫線選択画面２３０の表示例を示している。罫線選択画面２３０は、電子ペーパ１１１の表示領域に表示させる表、グリッド線、およびグラフ軸、等を選択するためのメニュー画面である。罫線選択画面２３０には、表、グリッド線、およびグラフ軸、等のサンプルが表示される。罫線選択画面２３０で何れかの画像を選び、決定ボタン１７６を押圧すると、罫線選択画面２３０が消去されるとともに、選定された表、グリッド線、またはグラフ軸が電子ペーパ１１１の表示領域に標準サイズで表示される。このとき表示される表、グリッド線、またはグラフ軸、等の罫線の色は、罫線色選択画面２２８にて選定された色である。黒や深緑など暗い色が背景色に選定されている場合、特に指定しなければ罫線色は自動的に白に設定される（図１６参照）。
【００７５】
図１９は、罫線選択画面２３０中の「週間予定表１」を選択した場合の表示例を示している。図１９に示すように、電子ペーパ１１１の表示領域には、表２３１と一緒に設定パレット２３２が表示される。設定パレット２３２には各種設定メニューがあり、所望の設定項目を選んで数値などを指定することにより、自由に、表の行数や列数を増減したり、表の幅や高さを設定したり、線種を変更したりすることができる。グリッド線あるいはグラフ軸の場合も同様である。
【００７６】
表２３１中に記載されている文字や単語を変更したいときは、表２３１中の該当する欄のテキストボックス１８１をアクティブにして、削除、上書き、新規書き込み等を行うことにより、自由に変更することができる。
【００７７】
１．２．１．４  設定の変更
【００７８】
上記のようにして背景色、罫線色、文字色などを設定した後においても、表示形態選択画面２２０から所望の選択画面に進むことにより、その選択画面上で設定を自由に変更することができる。設定が全て完了したら、表示形態選択画面２２０の終了ボタン１８４を選択した状態で決定ボタン１７６を押圧することにより、表示形態選択画面２２０を消去することができる。また、モード選択ボタン１３３でホワイトボードモードを選択することにより、いつでも表示形態選択画面２２０を呼び出すことができる。
【００７９】
１．２．２  ディスプレイモード
【００８０】
モード選択ボタン１３３でディスプレイモードを選択すると、電子ペーパ１１１の表示領域にソース選択画面が表示される。図２０は、ソース選択画面１８５の表示例を示している。ソース選択画面１８５には、幾つかの選択ボタンが表示される。それらの内の一つは、記録メディアボタン１８５ａである。別の一つは、外部装置ボタン１８５ｂである。
【００８１】
１．２．２．１  記録メディアからの取り込み
【００８２】
記録メディアボタン１８５ａは、表示する画像のソース（保存されている場所）として、メディア駆動装置１７３に装着されている記録メディア２００を指定するためのボタンである。記録メディアボタン１８５ａが選択されている状態（図２０参照。記録メディアボタン１８５ａが強調表示されている。）で、決定ボタン１７６が押圧されるとサムネイル画面１８６が表示される。図２１は、サムネイル画面１８６の表示例を示している。サムネイル画面１８６には、記録メディア２００に記録されている１または複数の画像のサムネイル（縮小画像）が一覧表示される。サムネイル画面１８６上で何れかの画像を選び（この例では画像１が選択されている。）、決定ボタン１７６を押圧すると、選定された画像が電子ペーパ１１１の表示領域に標準サイズで表示される。サムネイル画面１８６上の終了ボタン１８４が選択されている状態で、決定ボタン１７６が押圧されると、サムネイル画面１８６が閉じられる。
【００８３】
図２２は、サムネイル画面１８６上で選択した画像の表示状態を例示している。図２２に示すように、電子ペーパ１１１の表示領域には、選択した画像１８７と一緒に設定パレット１８８が表示される。設定パレット１８８には各種設定メニューがあり、所望の設定項目を選んで数値などを指定することにより、自由に、画像１８７の表示位置を変更したり、画像１８７の幅や高さを設定したり、画像枠の有無や種類を変更したりすることができる。設定パレット１８８は、終了ボタン１８４により閉じることができる。
【００８４】
上記のようにして電子ペーパ１１１の表示領域に表示させた画像１８７は、電子ペーパ１１１への電力供給を停止した後も、表示されたまま保たれる。そして、図２３に示すように、サムネイル画面１８６を再度呼び出して、別の画面を選択すれば（この例では画像４が選択されている。）、表示中の画像１８７を別の画像１８９に変更することができる（図２４参照）。電子ペーパ１１１は、画像変更時のみ電力を消費する。
【００８５】
また、サムネイル画面１８６上のスライドショーボタン１８６ｓが選択されている状態で、決定ボタン１７６が押圧されると、サムネイル画面１８６上に一覧表示されている画像が、標準サイズで順番に表示される。この場合も、電子ペーパ１１１は、画像が切り換わる時のみ電力を消費する。
【００８６】
１．２．２．２  外部装置からの取り込み
【００８７】
外部装置ボタン１８５ｂは、表示する画像のソース（保存されている場所）として、入力Ｉ／Ｆ１４１に接続されている外部装置３００を指定するためのボタンである。外部装置ボタン１８５ｂが選択されている状態（図２５参照。外部装置ボタン１８５ｂが強調表示されている。）で、決定ボタン１７６が押圧されると、電子ペーパ１１１の表示領域に入力画像表示窓１９５が標準サイズで表示される。図２６は、入力画像表示窓１９５の表示例を示している。電子ペーパ１１１の表示領域には、入力画像表示窓１９５と一緒に設定パレット１９６が表示される。設定パレット１９６には各種設定メニューがあり、所望の設定項目を選んで数値などを指定することにより、自由に、表示窓１９５の表示位置を変更したり、表示窓１９５の幅や高さを設定したり、窓枠の有無や種類を変更したりすることができる。設定パレット１９６は、終了ボタン１８４により閉じることができる。表示窓１９５は、電子ペーパ１１１の表示領域と同じ大きさまで拡大できる。表示窓１９５が表示されている時に、外部装置３００からコントロールユニット１３０に画像データまたはビデオ信号を入力すると、入力された画像データまたはビデオ信号に応じた画像が表示窓１９５内に表示される。
【００８８】
図２７は、表示窓１９５内に入力画像を表示させた状態を例示している。表示窓１９５内に表示される画像は、静止画に限らず、動画の場合もある。たとえば、新企画や新商品の提案会場等において、ノートパソコンなどからコントロールユニット１３０に静止画データを入力すれば、その静止画像が表示窓１９５内に表示される。また、ＤＶＤ再生装置などからコントロールユニット１３０に動画データや動画映像のビデオ信号を入力すれば、その動画像が表示窓１９５内に表示される。
【００８９】
１．２．３  プロジェクションモード
【００９０】
モード選択ボタン１３３でプロジェクションモードを選択すると、電子ペーパ１１１の表示領域全体が白色で且つ無模様の表示状態になる。その結果、電子ペーパ１１１の表示領域全体を、被投射面として使用することが可能となる。この時の表示状態は、ホワイトボードモードにおける通常表示と同じである。
【００９１】
図２９は、ボード本体１１０の電子ペーパ１１１に、映像を投射している状態を例示している。プロジェクタ３５０からの投射光３５１は、前面板１２５を透過して、電子ペーパ１１１に投射される。その結果、電子ペーパ１１１の不揮発性表示層（電子インク層、ツイストボール層、強誘電液晶層、等）の表面に映像３５２が表示される。電子ペーパ１１１からの反射光（映像）が、前面板１２５を透過して観察される。
【００９２】
１．３  その他の形態例
【００９３】
図３０は、本願発明に係るホワイトボードの別の形態例を示す正面図である。図３０に示すホワイトボード１０１は、ボード本体１１０とコントロールユニット１３０とが一体化している。また、このホワイトボード１０１は、支持体１５０を備えておらず、部屋の壁などに直接取り付けられる。しかたって、このホワイトボード１０１は、壁掛け型テレビや、装飾用の表示板として使用することができる。
また、背面板１２６の代わりに、電子ペーパ１１１と前面板１２５とを備えたホワイトボードも本願発明のホワイトボードに含まれる。ボード本体の両面に電子ペーパ１１１を備えることにより、表画像その他の画像をボード本体の両面に必要に応じて表示することができる。
【００９４】
１．４  効果
【００９５】
以上説明したように、この形態例のホワイトボード１００は、ホワイトボードモードで使用することにより、その筆記面に、計画表、日程表、時間表などの各種表画像を必要に応じて選択的に表示することができる。また、筆記面に、グリッド線、グラフ軸を必要に応じて選択的に筆記面に表示することもできる。さらに、筆記面の色、罫線の色、および文字の色を自由に変更できる。表示手段として、電子ペーパを使用しているので、表示させた表画像や色を保つための電力を必要としない。
【００９６】
また、電子ペーパ１１１の背後に背面板１２６が設けられているので、ボード本体１１０の両面を筆記面として使用することができる。また、背面板１２６は、従来のホワイトボードと全く同じ使い方をすることができる。背面板１２６は、スチール製であるので、その筆記面にマグネット１８０を付着させることができる。
【００９７】
また、背面板１２６との磁気的吸引力により、前面板１２５の表面（筆記面）にもマグネット１８０を付着させることができる。前面板１２５に対するマグネット１８０の付着力を高めるためには、電子ペーパ１１１の構成材料として合成樹脂を用いることが望ましい。
【００９８】
なお、本願発明のホワイトボードにおいて、背面板１２６は、必ずしもホワイトボードとしての機能を有している必要はない。
また、ホワイトボード１００、１０１に使用する電子ペーパ１１１は、必ずしも、紙のように薄い必要はないし、フレキシブルである必要もない。
【００９９】
２．投影スクリーン装置
【０１００】
２．１  投影スクリーン装置の構成
【０１０１】
本願発明に係る投影スクリーン装置は、図１〜図３０を用いて説明したホワイトボードと同じように構成することができる。すなわち、本願発明のホワイトボードの形態例は、その文中の「ホワイトボード」を「投影スクリーン装置」と適宜読み替えるとともに、「ボード」を「スクリーン」と適宜読み替えれば、本願発明の投影スクリーン装置の形態例になる。
【０１０２】
ただし、投影スクリーン装置の場合、前面板１２５の表面に、ホワイトボードマーカを使用して、文字、絵、図、線、表などを、手書きで記入できる必要はない。背面板１２６も、ホワイトボードとしての機能を有している必要はない。背面板１２６がスチール製である必要もない。むしろ、剛性樹脂板など、スチール以外の軽量な板材あるいは可撓性を有するシートを用いてもよい。投影スクリーン装置の場合、スクリーン本体は、ロール状に巻き取ることができる構造になっていることが望ましい。
【０１０３】
２．１．１  効果
【０１０４】
この形態例の投影スクリーン装置１００は、ディスプレイモードに設定することにより、プロジェクタ３５０による投影を行っていない時でも、各種画像を表示することができる。表示手段として、電子ペーパを使用しているので、表示させた画像を表示状態に保つための電力を必要としない。
【産業上の利用可能性】
【０１０５】
本願発明のホワイトボード又は投影スクリーン装置は、動画を表示することができるので、壁掛け型テレビなど、大画面の画像表示装置として利用できる。
【図面の簡単な説明】
【０１０６】
【図１】本願発明に係るホワイトボード（投影スクリーン装置）の一形態例を示す正面図
【図２】図１に示されるホワイトボード（投影スクリーン装置）の側面図
【図３】ボード本体（スクリーン装置本体）の縦断面図
【図４】ボード本体（スクリーン装置本体）の要部を示す分解斜視図
【図５】コントロールパネルの構成例を示す正面図
【図６】コントロールユニットの構成例を示す機能ブロック図
【図７】ホワイトボードモードにおける表示形態選択画面の表示例を示す図
【図８】ホワイトボードモードにおける表示形態選択画面の別の表示状態を例示する図
【図９】ホワイトボードモードにおける色選択画面の表示例を示す図
【図１０】ホワイトボードモードにおける罫線色選択画面の表示例を示す図
【図１１】ホワイトボードモードにおいて背景色として黒を選択した後の表示状態を例示するホワイトボード（投影スクリーン装置）の正面図
【図１２】ホワイトボードモードにおける色選択画面の別の表示状態を例示する図
【図１３】ホワイトボードモードにおける罫線色選択画面の別の表示状態を例示する図
【図１４】ホワイトボードモードにおける色選択画面の更に別の表示状態を例示する図
【図１５】ホワイトボードモードにおける文字色選択画面の表示例を示す図
【図１６】ホワイトボードモードにおいて黒や深緑など暗い色が背景色に選定されている場合における表示状態を例示するホワイトボード（投影スクリーン装置）の正面図
【図１７】ホワイトボードモードにおける表示形態選択画面の更に別の表示状態を例示する図
【図１８】ホワイトボードモードにおける罫線選択画面の表示例を示す図
【図１９】ホワイトボードモードにおいて罫線（表）を選択を選択した後の表示状態を例示するホワイトボード（投影スクリーン装置）の正面図
【図２０】ディスプレイモードにおけるソース選択画面の表示例を示す図
【図２１】ディスプレイモードにおけるサムネイル画面の表示例を示す図
【図２２】サムネイル画面上で画像を選択した後の表示状態を例示するホワイトボード（投影スクリーン装置）の正面図
【図２３】ディスプレイモードにおけるサムネイル画面の別の表示状態を例示する図
【図２４】サムネイル画面上で画像を選択した後の別の表示状態を例示するホワイトボード（投影スクリーン装置）の正面図
【図２５】ディスプレイモードにおけるソース選択画面の別の表示状態を例示する図
【図２６】ディスプレイモードにおいて入力画像表示窓が表示されている状態を例示するホワイトボード（投影スクリーン装置）の正面図
【図２７】入力画像表示窓内に入力画像を表示させた状態を例示するホワイトボード（投影スクリーン装置）の正面図
【図２８】ホワイトボードモードにおけるテキストメニューの表示例を示す図
【図２９】電子ペーパの表示領域に映像を投射している状態を例示する、ホワイトボード（投影スクリーン装置）とプロジェクタとから成るシステムの全体図
【図３０】本願発明に係るホワイトボードの別の形態例を示す正面図
【符号の説明】
【０１０７】
１００  ホワイトボード
１０１  ホワイトボード
１１０  ボード本体
１１１  電子ペーパ（不揮発性表示デバイス）
１１１ａ  表示領域
１２５  前面板
１２６  背面板
１２６ａ  筆記層
１２８  制御回路
１２８ａ  外部インタフェース
１３０  コントロールユニット
１３１  操作パネル
１３２  電源ボタン
１３３  モード選択ボタン
１３４  画像選択ボタン
１３５  入力切替ボタン
１３６  消去ボタン
１３９  電力ケーブル
１４０  通信インタフェース
１４１  通信インタフェース
１５０  支持体
１６０  ホワイトボードマーカ
１７０  イレーザ
１７１  制御部
１７２  不揮発性メモリ
１７３  メディア駆動部
１７４  電源部
１７５  方向ボタン
１７６  決定ボタン
１７７  入力装置部
１７８  アクティブ領域
１７９  テキストボタン
１８０  マグネット
１８１  テキストボックス
１８２  テキストメニュー
１８３  ポインタ
１８５  ソース選択画面
１８５ａ  記録メディアボタン
１８５ｂ  外部装置ボタン
１８６  サムネイル画面
１８６ｓ  スライドショーボタン
１８７  画像
１８８  設定パレット
１９１  赤外線受光部１９５  入力画像表示窓
１９６  設定パレット
２００  記録メディア
２２０  表示形態選択画面
２２１ａ  通常ボタン
２２１ｂ  色ボタン
２２１ｃ  罫線ボタン
１２５  前面板
２２６  色選択画面
２２６ａ  背景色ボタン
２２６ｂ  罫線色ボタン
２２６ｃ  文字色ボタン
２２７  背景色選択画面
２２８  罫線色選択画面
２２９  文字色選択画面
２３０  罫線選択画面
２３１  表
２３２  設定パレット
３００  外部装置
３５０  プロジェクタ
３５１  投射光
３５２  映像
【図１】
2004255885.tif 000003
【図２】
2004255885.tif 000004
【図３】
2004255885.tif 000005
【図４】
2004255885.tif 000006
【図５】
2004255885.tif 000007
【図６】
2004255885.tif 000008
【図７】
2004255885.tif 000009
【図８】
2004255885.tif 000010
【図９】
2004255885.tif 000011
【図１０】
2004255885.tif 000012
【図１１】
2004255885.tif 000013
【図１２】
2004255885.tif 000014
【図１３】
2004255885.tif 000015
【図１４】
2004255885.tif 000016
【図１５】
2004255885.tif 000017
【図１６】
2004255885.tif 000018
【図１７】
2004255885.tif 000019
【図１８】
2004255885.tif 000020
【図１９】
2004255885.tif 000021
【図２０】
2004255885.tif 000022
【図２１】
2004255885.tif 000023
【図２２】
2004255885.tif 000024
【図２３】
2004255885.tif 000025
【図２４】
2004255885.tif 000026
【図２５】
2004255885.tif 000027
【図２６】
2004255885.tif 000028
【図２７】
2004255885.tif 000029
【図２８】
2004255885.tif 000030
【図２９】
2004255885.tif 000031
【図３０】
2004255885.tif 000032